(57)【特許請求の範囲】
【請求項１】
測定画面のイメージデータを格納保存するように構成された測定装置において、
少なくともアナログ入力信号に基づく波形データが表示される測定画面を含む表示画面を編集生成する表示画面編集手段と、
前記測定画面のイメージに関連したイメージファイル中の測定データに関する各種情報をＥｘｉｆ情報として編集するＥｘｉｆ情報編集手段と、
このＥｘｉｆ情報編集手段で編集されたＥｘｉｆ情報を前記測定画面のイメージデータに付加して格納保存する格納保存手段、
を設けたことを特徴とする測定装置。
【請求項２】
前記Ｅｘｉｆ情報を、
前記測定画面のイメージデータと共通の画面に表示することを特徴とする請求項１に記載の測定装置。
【請求項３】
前記Ｅｘｉｆ情報は、
前記測定画面のイメージデータの名称と、
前記測定画面のイメージデータを取得した装置の製造者名称と、
前記測定画面のイメージデータを取得した装置の名称と、
前記測定画面のイメージデータを取得した時刻、
を含むことを特徴とする請求項１または請求項２に記載の測定装置。
【請求項４】
前記測定画面のイメージデータと前記Ｅｘｉｆ情報を、ＤＣＦ規格に準拠したフォルダに保存することを特徴とする請求項１から請求項３のいずれかに記載の測定装置。
【発明の詳細な説明】
【技術分野】
【０００１】
本発明は、測定装置に関し、詳しくは、測定画面のイメージデータを格納保存するように構成された測定装置の改良に関するものである。
【背景技術】
【０００２】
デジタル化された測定装置の一種に、測定画面のイメージデータを格納保存するように構成されたものがある。図６は、このような測定装置の一例を示すブロック図であり、デジタルオシロスコープの例を示している。
【０００３】
図６において、バスＢを介して、ＣＰＵ１、Ａ／Ｄ変換器２、時刻カウンタ３、設定操作部４、波形メモリ５、内部メモリ（ＲＡＭ）６、ＲＯＭ７、表示部８、記憶メディア９が共通に接続されている。
【０００４】
ＣＰＵ１は、ＲＯＭ７に格納されているプログラムに基づき、オペレータが設定操作部４を操作することにより設定される所望の測定条件で測定動作するように、各部を統括制御する。
【０００５】
Ａ／Ｄ変換器２には、アナログ入力部１０を介してアナログ入力信号Ｓａが入力されている。アナログ入力部１０は、Ａ／Ｄ変換器２が安定した変換動作を行える適正な振幅になるように増幅あるいは減衰される。なお、アナログ入力部１０には、所望のトリガ条件を設定するためのトリガ回路が必要に応じて設けられる。
【０００６】
Ａ／Ｄ変換器２は、アナログ入力部１０を介して入力されたアナログ入力信号Ｓａを、波形データＳｄに変換する。変換された波形データＳｄは、ＣＰＵ１の制御に基づき、時刻カウンタ３でカウント更新される時刻データとともに、波形メモリ５に逐次保存格納される。
【０００７】
ＣＰＵ１は、オペレータによる設定操作部４の操作設定に応じて、波形メモリ５に保存格納されている波形データから該当するものを内部メモリ６に読み出し、図７に示すような表示画面イメージを生成して表示部８に表示する。
【０００８】
生成された画面イメージは、オペレータが保存を操作設定することにより記憶メディア９に格納され、保存が設定されないと次に生成される画面イメージで書き換えられる。
【０００９】
図７は、従来の表示部８における表示画面イメージの一例を示す説明図である。図７において、波形表示領域８１には４系統の波形が表示され、波形表示領域８１の下部には画面イメージ保存メニューに対応したソフトキー８２が表示されている。
【００１０】
図８は、図７に示した画面イメージ保存メニュー用ソフトキー８２の拡大図である。図８において、Print  Toキー８２ａは、表示されている画面イメージデータの転送先を、ファイルとして保存格納する記憶メディア９か図示しない内蔵プリンタまたは外部プリンタかを選択指定するもので、図８ではファイルを選択指定している。
【００１１】
Modeキー８２ｂは選択指定された転送先における処理モードを選択指定するもので、図８ではハードコピーを選択指定している。
【００１２】
Formatキー８２ｃは、画面イメージのデータフォーマットを選択指定するもので、図８ではJPEGを選択指定している。
【００１３】
Colorキー８２ｄは、画面イメージの表示色モードを選択指定するもので、図８ではカラーを選択指定している。
【００１４】
File Listキー８２ｅは、ファイルが選択指定された場合の保存格納メディアを選択指定するもので、図８ではＵＳＢを選択指定している。
【００１５】
File Nameキー８２ｆは、ファイルが選択指定された場合にファイル名を設定入力するためのものである。
【００１６】
特許文献１には、複数の波形データの縮小波形をサムネール表示することにより、異常波形の特定が容易に行えるようにした波形表示装置について記載されている。
【先行技術文献】
【特許文献】
【００１７】
【特許文献１】特開２０００−３０４７７４号公報
【発明の概要】
【発明が解決しようとする課題】
【００１８】
しかし、図６に示す従来の測定装置では、画面イメージそのものしか保存されないことから、測定に用いた機器情報などの測定時には静的な情報については、画面イメージの格納とは独立した測定記録情報として別途管理する必要があった。
【００１９】
このため、任意の画面イメージについて、その測定に用いた測定装置の情報などを関連づける必要がある場合には、別途管理している測定記録情報と対応づけなければならず、その作業は煩雑になることが多い。
【００２０】
また、画面イメージを一般的なパソコンで用いられるプリンタでプリントするのにあたっては、パソコンに測定装置専用に開発されたアプリケーションをインストールしておかなければならず、プリンタがあってもアプリケーションがインストールされたパソコンがないと画面イメージをプリントすることはできない。
【００２１】
本発明は、これらの問題を解決するものであり、その目的は、任意の画面イメージについて、その測定に用いた測定装置の情報などを関連づけて保存格納できる測定装置を提供することにある。
【課題を解決するための手段】
【００２２】
このような課題を達成するために、本発明のうち請求項１記載の発明は、
測定画面のイメージデータを格納保存するように構成された測定装置において、
少なくとも測定画面を含む表示画面を編集生成する表示画面編集手段と、
前記測定画面のイメージに関連したイメージファイル中の測定データに関する各種情報をＥｘｉｆ情報として編集するＥｘｉｆ情報編集手段と、
このＥｘｉｆ情報編集手段で編集されたＥｘｉｆ情報を前記測定画面のイメージデータに付加して格納保存する格納保存手段、
を設けたことを特徴とする。
【００２３】
請求項２記載の発明は、請求項１に記載の測定装置において、
前記Ｅｘｉｆ情報を、
前記測定画面のイメージデータと共通の画面に表示することを特徴とする。
【００２４】
請求項３記載の発明は、請求項１または請求項２に記載の測定装置において、
前記Ｅｘｉｆ情報は、
前記測定画面のイメージデータの名称と、
前記測定画面のイメージデータを取得した装置の製造者名称と、
前記測定画面のイメージデータを取得した装置の名称と、
前記測定画面のイメージデータを取得した時刻、
を含むことを特徴とする。
【００２５】
請求項４記載の発明は、請求項１から請求項３のいずれかに記載の測定装置において、
前記測定画面のイメージデータと前記Ｅｘｉｆ情報を、ＤＣＦ規格に準拠したフォルダに保存することを特徴とする。
【発明の効果】
【００２６】
本発明の測定装置によれば、測定画面のイメージに関連した各種情報をＥｘｉｆ情報として測定画面のイメージデータに付加して格納保存することができ、これらＥｘｉｆ情報を必要に応じて測定画面のイメージデータと共通の画面に表示させたり、これらＥｘｉｆ情報や測定画面のイメージデータをパソコンを介することなく直接プリンタでプリントすることができる。
【図面の簡単な説明】
【００２７】
【図１】本発明の一実施例を示すブロック図である。
【図２】図１の動作の流れを示すフローチャートである。
【図３】図１の表示画面例図である。
【図４】本発明の応用例の説明図である。
【図５】本発明の他の応用例の説明図である。
【図６】従来の測定装置の一例を示すブロック図である。
【図７】従来の表示部８における表示画面イメージの一例を示す説明図である。
【図８】図７に示した画面イメージ保存メニュー用ソフトキー８２の拡大図である。
【発明を実施するための形態】
【００２８】
以下、本発明について、図面を用いて詳細に説明する。図１は本発明の一実施例を示すブロック図であり、図６と共通する部分には同一の符号を付けている。図１と図６の相違点は、バスＢに、Ｅｘｉｆ情報編集部１１と、表示画面編集部１２と、ネットワークインタフェース１３が接続されていることである。
【００２９】
図１において、Ｅｘｉｆ情報編集部１１は、表示部８に表示される測定画面のイメージに関連した各種情報をＥｘｉｆ情報として編集する。ここで、Ｅｘｉｆとは、Exchangeable image file formatの略称であって、画像ファイルのフォーマットを統一するための規格である。このようなＥｘｉｆ情報をＤＣＦ（Design rule for Camera File system：カメラファイルシステム）規格と併用することにより、後工程でそれらの情報を任意に取得でき、有効に利用できる。
【００３０】
この規格によれば、画像ファイルの中に、撮影された日時や機種名、シャッタースピード、絞り値の設定などの撮影に関する情報や各種カメラ情報と、主画像のデータを正しく読み取るための圧縮モード、色空間、画素数などの情報を記述することができる。
【００３１】
そこで、本発明では、表示部８に表示される測定画面をデジタルカメラで撮影された画像ファイルと同等のものと位置づけて、表示部８に表示される測定画面のイメージに関連した各種情報をＥｘｉｆ情報として編集して測定画面のイメージデータに付加して格納保存することにより、測定画面のイメージもデジタルカメラで撮影した画像と同様に、一般に普及しているパソコン用のプリンタで手軽に高品位プリントが行えるようにしたものである。
【００３２】
表示画面編集部１２は、表示部８に表示される表示画面を編集生成する。表示画面の編集生成にあたっては、測定画面の他、データを取得した場所などのデータ取得状況や測定対象の特異現象に関する所見なども必要に応じて入力される。
【００３３】
ネットワークインタフェース１３は、外部機器とネットワークを介して接続するためのインタフェースであり、たとえばＵＳＢ（Universal Serial Bus：ユニバーサル・シリアル・バス）ポートを用いる。
【００３４】
図２は図１の構成における測定装置の基本的な処理動作の流れを説明するフローチャートであり、（Ａ）は画面イメージ付加情報が付加された画面イメージを保存するまでの流れを示し、（Ｂ）は画面イメージファイルの表示処理の流れを示している。
【００３５】
はじめに、キーボードなどの設定操作部４を用いて、画面イメージファイルに付加するデータを取得した場所などのデータ取得状況や測定対象の特異現象に関する所見などの測定画面に関連した静的な情報を入力し、内部メモリ６に保存する（ステップＳ１）。
【００３６】
測定をスタートすると、アナログ入力信号Ｓａはアナログ入力部１０を介してＡ／Ｄ変換器２に入力され、波形データＳｄに変換される。変換された波形データＳｄは、ＣＰＵ１の制御に基づき、波形メモリ５に逐次保存格納される（ステップＳ２）。
【００３７】
ＣＰＵ１は、オペレータによる設定操作部４の操作設定に基づいて、波形メモリ５に保存格納されている波形データから該当するものを内部メモリ６に読み出して測定データを取得し（ステップＳ３）、表示画面編集部１２で表示画面を生成更新して（ステップＳ４）、表示部８に表示する。
【００３８】
生成更新した表示画面を記憶メディア９に保存する必要がなければ、ステップＳ２の測定スタートに戻り、測定を繰り返す（ステップＳ５）。
【００３９】
生成更新した表示画面を記憶メディア９に保存する必要がある場合には、画面イメージ保存用のデータを生成し（ステップＳ６）、さらにたとえば時刻カウンタ３から測定データの取得データを取り出して、ステップＳ１において内部メモリ６に保存されている静的な情報と併せて、画面イメージに付加する画面イメージ付加情報を生成する（ステップＳ７）。
【００４０】
そして、ステップＳ６で生成された画面イメージにステップＳ７で生成された画面イメージ付加情報を付加する（ステップＳ８）。
【００４１】
画面イメージ付加情報が付加された画面イメージを、デジタルカメラなどで用いられているＥｘｉｆ情報付きのファイルとして、記憶メディア９に保存する（ステップＳ９）。以降、再度測定をスタートさせる必要があればステップＳ２の測定スタートに戻って一連の測定処理を繰り返し（ステップＳ１０）、再度測定をスタートさせる必要がなければ測定をストップする（ステップＳ１１）。
【００４２】
画面イメージファイルの表示処理にあたっては（ステップＳ１２）、ステップＳ９で記憶メディア９に保存されている画面イメージファイルを取り出して画面イメージファイルを取得する（ステップＳ１３）。
【００４３】
取得した画面イメージファイルについて、Ｅｘｉｆ情報付か否かを判断し（ステップＳ１４）、Ｅｘｉｆ情報が付加されたファイルであればそのＥｘｉｆ情報を読み出す（ステップＳ１５）。
【００４４】
このようにして得られたＥｘｉｆ情報に基づく静的情報および動的情報を表示部８の表示画面に表示するとともに（ステップＳ１６）、ステップＳ１３で取得した画面イメージファイルも表示部８の表示画面に表示する（ステップＳ１７）。
【００４５】
ステップＳ１４において、取得した画面イメージファイルにＥｘｉｆ情報が付いていない場合には、ステップＳ１７に遷移して画面イメージのみを表示する処理を行う。
【００４６】
以上の処理を実行することにより、一連の表示処理を終了する（ステップＳ１８）。
【００４７】
Ｅｘｉｆ情報の付加されていないファイルを表示する場合は、イメージファイル中のデータに関する付加情報がないために、前述の図７に示すようにそのイメージデータのみしか表示できない。
【００４８】
これに対し、イメージファイル中の測定データに関する情報が測定装置の内部で生成され、Ｅｘｉｆ情報としてファイルに付加されているファイルを表示する場合には、図３に示すように、イメージデータとともに、
・測定画面のイメージデータの名称
・測定画面のイメージデータを取得した測定装置の製造者名称
・測定画面のイメージデータを取得した測定装置の名称または型名
・測定画面のイメージデータを取得した測定装置のファームウェアの改版番号
・測定画面のイメージデータを取得したトリガ日時
・カラー情報
・イメージのサイズ
などの測定データに関する各種の情報８３を、イメージデータと共通する画面上に表示する。
【００４９】
また、測定装置画面のイメージをＥｘｉｆ情報付きのファイルとして作成し、そのファイルの保存パスをＤＣＦ規格に準拠したフォルダに保存することにより、たとえば図４に示すように、保存する記憶メディア９として、ＳＤカードやＵＳＢメモリなどのプリンタが直接読み込める形式のものを利用することにより、デジタルカメラで撮影した写真と同様の簡単な操作で、測定装置画面のイメージをパソコンを介することなく直接プリンタで選択して印刷できる。
【００５０】
さらに、図５に示すように、測定装置にＵＳＢ大容量格納機能が設けられている場合には、ＵＳＢホスト機能を持つプリンタと測定装置をＵＳＢで接続することにより、あたかもプリンタにＵＳＢメモリのような外部ストレージが挿入されたかのように振る舞わせることができる。このときも図４と同様に、プリンタからの簡単な操作で測定装置画面の所望のイメージを選択して印刷できるようになる。
【００５１】
なお、上記実施例では、測定装置としてデジタルオシロスコープの例について説明したが、これに限るものではなく、本発明は、波形表示機能を有する電力測定器や、アナログ入力信号の時系列的な変化を表示画面にトレンド記録表示するように構成されたペーパーレスレコーダなどにも適用できるものである。
【００５２】
以上説明したように、本発明によれば、測定画面のイメージに関連した各種情報をＥｘｉｆ情報として測定画面のイメージデータに付加して格納保存することができ、これらＥｘｉｆ情報を必要に応じて測定画面のイメージデータと共通の画面に表示させたり、これらＥｘｉｆ情報や測定画面のイメージデータをパソコンを介することなく直接プリンタでプリントすることができ、測定作業の効率化が図れる。
【符号の説明】
【００５３】
Ｂ  バス
１  ＣＰＵ
２  Ａ／Ｄ変換器
３  時刻カウンタ
４  設定操作部
５  波形メモリ
６  内部メモリ（ＲＡＭ）
７  ＲＯＭ
８  表示部
９  記憶メディア
１０  アナログ入力部
１１  Ｅｘｉｆ情報編集部
１２  表示画面編集部
１３  ネットワークインタフェース
【図１】
0005556185.tif 000002
【図２】
0005556185.tif 000003
【図６】
0005556185.tif 000004
【図３】
0005556185.tif 000005
【図４】
0005556185.tif 000006
【図５】
0005556185.tif 000007
【図７】
0005556185.tif 000008
【図８】
0005556185.tif 000009